(57)【要約】【課題】  液晶表示パネルを位置決めされる液晶表示装置を提供する。【解決手段】  発光素子２０は、液晶表示パネル１０を照明する照明光を発する。回路基板５０は、発光素子２０を搭載する。導光部材４０は、照明光を液晶表示パネル１０に導く。導電部材３０は、液晶表示パネル１０と回路基板５０とを電気的に接続する。導光部材４０は、液晶表示パネル１０を位置決めする位置決め部４８を有する。液晶表示パネル１０は、位置決め部４８に当接する当接部１１ｓを有する。導光部材４０は、回路基板５０を位置決めする第二の位置決め部４９を有する。【選択図】  図４
2014035387.tif 000002
【特許請求の範囲】
【請求項１】
略円形の液晶表示パネルと、前記液晶表示パネルを照明する照明光を発する発光素子と、前記発光素子を搭載する回路基板と、前記照明光を前記液晶表示パネルに導く導光部材と、を備え、
前記導光部材は、前記液晶表示パネルを位置決めする位置決め部を有すると共に、前記液晶表示パネルは、前記位置決め部に当接する当接部を有することを特徴とする液晶表示装置。
【請求項２】
前記導光部材は、前記回路基板を位置決めする第二の位置決め部を有することを特徴とする請求項１に記載の液晶表示装置。
【請求項３】
前記液晶表示パネルと前記回路基板とを電気的に接続する導電部材を備えたことを特徴とする請求項１に記載の液晶表示装置。
【請求項４】
前記導光部材の前記位置決め部は、弾性片であることを特徴とする請求項１に記載の液晶表示装置。
【請求項５】
前記液晶表示パネルの前記当接部は、ストレート部であることを特徴とする請求項１に記載の液晶表示装置。
【発明の詳細な説明】
【技術分野】
【０００１】
本発明は、略円形の液晶表示パネルを備えた液晶表示装置に関するものである。
【背景技術】
【０００２】
従来より、円形の液晶表示パネルを備えた液晶表示装置が種々提案されており、例えば特許文献１に開示されている。斯かる液晶表示装置は、指針式計器の指針上に液晶表示パネルを配置したものであり、この液晶表示パネルは専用のケース体を介してハウジングに固定されている。液晶表示パネルは、接続部材（可撓性配線部材またはリードピン）を用いて、回路基板に電気的に接続されている。液晶表示パネルは、発光素子が発した照明光によって透過照明される。
【先行技術文献】
【特許文献】
【０００３】
【特許文献１】特開２００６−１３３４１５号公報
【発明の概要】
【発明が解決しようとする課題】
【０００４】
しかし、液晶表示パネルが円形であるため、液晶表示パネルの表示セグメントが傾いてしまう虞があった。つまり、液晶表示パネルが、若干ではあるが、左に傾いたり、右に傾いたりするという問題があった。
本発明は、この問題に鑑みなされたものであり、液晶表示パネルを位置決めされる液晶表示装置を提供するものである。
【課題を解決するための手段】
【０００５】
本発明は、請求項１に記載したように、略円形の液晶表示パネル１０と、前記液晶表示パネル１０を照明する照明光を発する発光素子２０と、前記発光素子２０を搭載する回路基板５０と、前記照明光を前記液晶表示パネル１０に導く導光部材４０と、を備え、前記導光部材４０は、前記液晶表示パネル１０を位置決めする位置決め部４８を有すると共に、前記液晶表示パネル１０は、前記位置決め部４８に当接する当接部１１ｓを有するものである。
【０００６】
また、本発明は、請求項２に記載したように、前記導光部材４０は、前記回路基板５０を位置決めする第二の位置決め部４９を有するものである。
【０００７】
また、本発明は、請求項３に記載したように、前記液晶表示パネル１０と前記回路基板５０とを電気的に接続する導電部材３０を備えたものである。
【０００８】
また、本発明は、請求項４に記載したように、前記導光部材４０の前記位置決め部４８は、弾性片であるものである。
【０００９】
また、本発明は、請求項５に記載したように、前記液晶表示パネル１０の前記当接部１１ｓは、ストレート部であるものである。
【発明の効果】
【００１０】
導光部材に液晶表示パネルを位置決めすることができ、液晶表示パネルが傾く虞がない。
【図面の簡単な説明】
【００１１】
【図１】本発明の実施形態を示す正面図。
【図２】同上実施形態を示す断面図。
【図３】同上実施形態を示す断面図。
【図４】同上実施形態を示す液晶表示パネルの正面図。
【図５】同上実施形態を示す導光部材の正面図及び断面図。
【図６】同上実施形態を示す導光部材の背面図。
【図７】同上実施形態を示す回路基板の背面図。
【図８】同上実施形態を示す要部拡大断面図。
【発明を実施するための形態】
【００１２】
以下、添付図面に基づいて、本発明の一実施形態を説明する。液晶表示装置は、液晶表示パネル１０，発光ダイオード２０，導電ゴム３０，導光部材４０，回路基板５０等を備えており、正面視で円形になっている。
【００１３】
液晶表示パネル１０は、透明電極が形成された一対の透光性基板１１ａ，１１ｂに液晶を封入した液晶セル１１の前後両面に偏光板（図示しない）を貼着したものである。液晶表示パネル１０は、正面視で略円形になっている。液晶表示パネル１０は、複数の表示セグメント１２を有しており、これらの表示セグメント１２は日字形に配置されている。液晶表示パネル１０の後面には、光拡散板８０が配設されている。
【００１４】
液晶表示パネル１０の透光性基板１１ａは、正面視で略円形になっている。透光性基板１１ａの輪郭は、円弧状のラウンド部１１ｒと、直線状のストレート部１１ｓとからなっている。透光性基板１１ａの後面には、導電ゴム３０の一端に導通する端子部１５が形成されている。液晶表示パネル１０の透光性基板１１ｂは、透光性基板１１ａよりも小径な円形になっている。
【００１５】
発光ダイオード２０は、サイドビュー型ＬＥＤ（Light Emitting Diode）からなるものであり、白色の照明光を発する。発光ダイオード２０は、回路基板５０の後面５０ｂに搭載されている。発光ダイオード２０は、導光部材４０の受光部４３に照明光を照射する。発光ダイオード２０が発する照明光Ｌの光軸は、回路基板５０の後面５０ｂと平行になっており、放射状に照明光Ｌを発する。
【００１６】
導電ゴム３０は、多数の導電部と多数の絶縁部とが交互に積層されてなるものであり、液晶表示パネル１０と回路基板５０とを電気的に接続する。導電ゴム３０の一端は液晶表示パネル１０の端子部１５に導通され、導電ゴム３０の他端は回路基板５０の端子部５１に導通されている。導電ゴム３０は、導光部材４０に保持される前では平板形状になっているが、導光部材４０の貫通孔４１に保持されて、正面視で円弧状に屈曲状態になっている。
【００１７】
導光部材４０は、ポリカーボネート，アクリル等の透光性樹脂からなるものであり、発光ダイオード２０が発した照明光Ｌを液晶表示パネル１０の後面に導く。導光部材４０は、正面視で円形になっており、液晶表示パネル１０と略同じ大きさである。導光部材４０の前面４０ａは平滑面になっている。導光部材４０の後面には、照明光Ｌを拡散させるため、微細な凹凸が形成されている。
【００１８】
導光部材４０は円弧状の貫通孔４１を有しており、この貫通孔４１に導電ゴム３０が嵌入されている。導光部材４０は、前面４０ａから前方に突出する２個の突出部４７を有している。導光部材４０の突出部４７は正面視で円弧状になっており、液晶表示パネル１０の透光性基板１１ａに当接する。導光部材４０の突出部４７は、貫通孔４１の外側に形成されている。
【００１９】
導光部材４０は４個の弾性片４８を有しており、この弾性片４８によって液晶表示パネル１０が導光部材４０に位置決めされる。導光部材４０の弾性片４８は、角柱形状になっており、前方に突出している。導光部材４０の弾性片４８は、液晶表示パネル１０のストレート部１１ｓに当接している。
【００２０】
導光部材４０は２個の突起４９を有しており、この突起４９によって回路基板５０が導光部材４０に位置決めされる。導光部材４０の突起４９は、円柱形状になっており、後方に突出している。導光部材４０の突起４９は、回路基板５０の溝部５５に挿入されている。
【００２１】
導光部材４０は、後面４０ｂから後方に突出する受光部４３を有している。導光部材４０の受光部４３は円弧状になっており、発光ダイオード２０が発した照明光Ｌを受光する。導光部材４０の受光部４３は、発光ダイオード２０が発した照明光Ｌが入射する受光面４３ｂと、この受光面４３ｂから入射した照明光Ｌを液晶表示パネル１０に垂直な方向に反射させる反射面４３ａを有している。導光部材４０の受光面４３ｂは円筒面になっており、発光ダイオード２０の出光部は導光部材４０の受光面４３ｂと対向している。導光部材４０の反射面４３ａは円錐面になっている。
【００２２】
受光部４３の反射面４３ａで反射された照明光Ｌは、反射面４４で液晶表示パネル１０と平行な方向に更に反射される。導光部材４０の反射面４４は円錐面になっている。導光部材４０の反射面４４は、平滑面になっていても良いし、微細な凹凸を有していても良い。また、導光部材４０の反射面４４に、断面三角形の多数の反射部を形成しても良い。
【００２３】
回路基板５０は、ガラスエポキシ樹脂からなる基材に銅箔からなる配線パターンを形成した硬質プリント配線板からなるものである。回路基板５０には、液晶表示パネル１０を制御する制御回路（図示しない）が搭載されている。回路基板５０は、液晶表示パネル１０と平行に配置されている。回路基板５０の前面５０ａは、導光部材４０の後面４０ｂに対向している。回路基板５０には、導光部材４０の突起４９が挿入される溝部５５が形成されており、回路基板５０は導光部材４０に位置決めされている。
【００２４】
回路基板５０の後面５０ｂには、３個の発光ダイオード２０が円弧状に搭載されている。発光ダイオード２０の光軸は半径方向になっており、発光ダイオード２０は照明光Ｌを半径方向の外向きに出射する。発光ダイオード２０は、導光部材４０の受光部４３に沿うように配置されている。
【００２５】
ケース体６０は、不透明な樹脂からなるものであり、液晶表示パネル１０の表示セグメント１２が視認できるように、円形の開口部６１を有している。ケース体６０は、後面カバー７０を係止する係止部６２を有している。後面カバー７０は、係止部６２によってケース体６０に係止される。
【００２６】
本実施形態は、導光部材４０に液晶表示パネル１０を位置決めすることができ、液晶表示パネル１０の表示セグメント１２が傾く虞がない。且つ、液晶表示パネル１０及び回路基板５０が導光部材４０に位置決めされているため、液晶表示パネル１０の端子部１５と、回路基板５０の端子部５１との相対的な角度位置の誤差が小さくなる。
【００２７】
なお、本発明は、本実施形態に限定されるものではなく、種々の変形が可能である。例えば、本実施形態は、回路基板５０に溝部５５を形成したものであるが、例えば、回路基板５０に円形の貫通孔を形成し、この貫通孔に突起４９を挿入しても良い。また、本実施形態は、液晶表示パネル１０がストレート部１１ｓを有するものであったが、液晶表示パネル１０の内側に凹んだ形状の溝部に導光部材４０の弾性片４８を当接させても良い。
【符号の説明】
【００２８】
１０    液晶表示パネル
１１ｓ  ストレート部（当接部）
２０    発光ダイオード（発光素子）
３０    導電ゴム（導電部材）
４０    導光部材
４１    貫通孔
４３    受光部
４８    弾性片（位置決め部）
４９    突起（第二の位置決め部）
５０    回路基板
【図１】
2014035387.tif 000003
【図２】
2014035387.tif 000004
【図３】
2014035387.tif 000005
【図４】
2014035387.tif 000006
【図５】
2014035387.tif 000007
【図６】
2014035387.tif 000008
【図７】
2014035387.tif 000009
【図８】
2014035387.tif 000010